(57)【要約】【課題】  光ディスクに記録された記録情報を管理する管理情報が一つの領域にまとめられて記録されていない光ディスクにおいて、全てのトラック等の単位情報の記録開始位置を素早く読取る情報読取装置を提供することにある。【解決手段】  光ディスク１に記録されている音楽情報および記録位置情報等の情報を読み取る光ピックアップ２と、光ディスク１に記録されているトラック番号等によってあらわされる情報単位の終端を検出し、記録情報の終端位置の内周側に記録されている単位情報を示すトラック番号等の管理情報を抽出し、単位情報の記録開始位置情報を取得するマイクロコンピュータ部８とを有する構成をしている。【選択図】  図１
2008027469.tif 000002
【特許請求の範囲】
【請求項１】
複数の単位情報が内周から外周に向けて連続して記録された記録済領域と、情報が未だ記録されていない領域であって前記記録済領域の外周側に隣接した未記録領域とが存在する記録媒体から該単位情報を読取る情報読取装置であって、
前記単位情報を読取る読取手段と、
前記読取手段を移動させる移動手段と、
前記記録済領域における前記未記録領域側の終端位置を検出する検出手段と、
前記検出された終端位置に基づいて前記記録済領域における終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行うように前記読取手段及び前記移動手段を制御する制御手段と、
を備えたことを特徴とする情報読取装置。
【請求項２】
前記単位情報は、該単位情報に関する管理情報を含むものであり、
前記制御手段は、前記終端位置から内周側に所定量を移動した位置で前記終端の単位情報を読取らせることにより管理情報を抽出し、該単位情報の記録開始位置情報を取得することを特徴とする請求項１に記載の情報読取装置。
【請求項３】
前記単位情報は、該単位情報に関する管理情報を含むものであり、
前記制御手段は、前記外周側の単位情報の記録開始位置情報による開始位置から内周側に所定量を移動した位置で前記内周側の単位情報を読取らせることにより管理情報を抽出し、該単位情報の記録開始位置情報を取得することを特徴とする請求項１または２に記載の情報読取装置。
【請求項４】
前記記録開始位置情報は、前記管理情報である記録済領域の絶対時間から前記管理情報である単位情報の経過時間を減算した値であることを特徴とする請求項２または３に記載の情報読取装置。
【請求項５】
前記記録済領域における始端の単位情報であるか否かを判別する判別手段をさらに備え、
前記制御手段は、前記始端の単位情報であることが判別されたときは、該単位情報の記録開始位置情報を取得した後、記録開始位置情報の取得を終了することを特徴とする請求項１乃至４に記載の情報読取装置。
【請求項６】
請求項１乃至請求項５のいずれか一項に記載の情報読取装置を備えることを特徴とする記録媒体再生装置。
【請求項７】
複数の単位情報が内周から外周に向けて連続して記録された記録済領域と、情報が未だ記録されていない領域であって前記記録済領域の外周側に隣接した未記録領域とが存在する記録媒体から該各単位情報の記録開始位置情報を取得する記録開始位置情報取得方法であって、
前記記録済領域における前記未記録領域側の終端位置を検出する工程と、
前記検出された終端位置に基づいて前記記録済領域における終端の単位情報の記録開始位置情報を取得する工程と、
前記終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行う工程と、
を備えたことを特徴とする記録開始位置情報取得方法。
【請求項８】
請求項７に記載の記録開始位置情報取得方法をコンピュータに実行させることを特徴とする記録開始位置情報取得プログラム。
【請求項９】
請求項８に記載の記録開始位置情報取得プログラムを記憶したことを特徴とするコンピュータに読取り可能な記録媒体。
【発明の詳細な説明】
【技術分野】
【０００１】
本願は、光ディスク再生装置の技術分野に関する。
【背景技術】
【０００２】
従来、ＣＤ（Compact Disc）等の光ディスクにおいては、光ディスクに記録された楽曲について、一つの楽曲に対応するトラック番号、トラック番号の最小値と最大値、各トラック番号の開始時間等の管理情報は光ディスク上のリードイン領域にＴＯＣ(Table of Contents)として記録されているため、再生時に全てのトラックの開始位置を読取る必要がある光ディスク再生装置において光ディスクを再生する場合には、管理情報ＴＯＣを参照することによって各トラックの開始位置を素早く取得することができた。
【０００３】
一方、ＣＤ−Ｒ（Recordable）等の追記可能な光ディスクは、追記の可能性がある場合には、ＴＯＣを記録しない。ＴＯＣが記録されていない光ディスクからトラックの開始位置を取得する場合には、各トラックに記録されている情報に含まれるサブコード等の情報からトラックの開始位置を取得することができる。しかし、この場合には、読取ったトラックに対応するトラックの開始位置しか取得できない。したがって、前述した再生時に全てのトラックの開始位置を読取る必要がある光ディスク再生装置においてＣＤ−Ｒ等のＴＯＣを持たない光ディスクを再生する場合には、全てのトラックに対するサブコード等の情報を読取らなければならない。従来は、最初のトラックの先頭から順番に、ある間隔毎にサブコードの読取りを繰り返すことによって全てのトラックに対するサブコード等の情報を読取っていた（例えば、特許文献１）。
【特許文献１】特開平５−３０３７４３号公報
【発明の開示】
【発明が解決しようとする課題】
【０００４】
しかし、トラック毎にトラック領域の長さは変化するため、短いトラックにおいてもそのトラックのサブコード等の情報を読み飛ばさないようにするために、読取る間隔を狭める必要があった。すなわち、短い間隔でサブコード等の情報を多くの回数読取る必要があった。このことにより、全てのトラックに対応するサブコード等の情報を読取るまでに長い時間が必要とされるという問題があった。
【０００５】
そこで、本願は、上記の不都合に鑑みてなされたもので、その課題の一例は、ＴＯＣ等の管理情報を持たない光ディスク等に記録されている全てのトラック等の単位情報の記録開始位置を素早く読取る情報読取装置、記録媒体再生装置、記録開始位置情報取得方法、記録開始位置情報取得プログラムおよび記録開始位置情報取得プログラムを記録した記録媒体を提供することにある。
【課題を解決するための手段】
【０００６】
本発明の請求項１に記載の情報読取装置は、複数の単位情報が内周から外周に向けて連続して記録された記録済領域と、情報が未だ記録されていない領域であって前記記録済領域の外周側に隣接した未記録領域とが存在する記録媒体から該単位情報を読取る情報読取装置であって、前記単位情報を読取る読取手段と、前記読取手段を移動させる移動手段と、前記記録済領域における前記未記録領域側の終端位置を検出する検出手段と、前記検出された終端位置に基づいて前記記録済領域における終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行うように前記読取手段及び前記移動手段を制御する制御手段とを備えたことを特徴とする。
【０００７】
本発明の請求項７に記載の記録開始位置情報取得方法は、複数の単位情報が内周から外周に向けて連続して記録された記録済領域と、情報が未だ記録されていない領域であって前記記録済領域の外周側に隣接した未記録領域とが存在する記録媒体から該各単位情報の記録開始位置情報を取得する記録開始位置情報取得方法であって、前記記録済領域における前記未記録領域側の終端位置を検出する工程と、前記検出された終端位置に基づいて前記記録済領域における終端の単位情報の記録開始位置情報を取得する工程と、前記終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行う工程とを備えたことを特徴とする。
【０００８】
本発明の請求項８に記載の記録開始位置情報取得プログラムは、複数の単位情報が内周から外周に向けて連続して記録された記録済領域と、情報が未だ記録されていない領域であって前記記録済領域の外周側に隣接した未記録領域とが存在する記録媒体から該各単位情報の記録開始位置情報を取得する記録開始位置情報取得方法であって、前記記録済領域における前記未記録領域側の終端位置を検出する工程と、前記検出された終端位置に基づいて前記記録済領域における終端の単位情報の記録開始位置情報を取得する工程と、前記終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行う工程とを備えたことを特徴とする記録開始位置情報取得方法をコンピュータに実行させることを特徴とする。
【発明を実施するための最良の形態】
【０００９】
次に、本願に最適な実施の形態について、図面に基づいて説明する。
【００１０】
なお、以下の実施形態は、楽曲が記録されている書き換え可能なＣＤ（Compact Disc）−ＲＷ（Rewritable）またはＣＤ−Ｒ（Recordable）等の光ディスクを本願の光ディスク再生装置にセットした場合に、当該光ディスク再生装置が、当該CD−RWまたはＣＤ−Ｒに記録されている各楽曲に対応するトラック番号と各楽曲の記録開始位置との関係を直ちに調べる動作について説明したものである。
【００１１】
（Ｉ）全体構成及び動作
始めに、実施形態に係る光ディスク再生装置の全体構成について、図１を用いて説明する。また、実施形態に使用される光ディスクの概要構成について図２を用いて説明する。さらに、実施形態において使用される光ディスクの制御情報について図３を用いて説明する。なお、図１は、実施形態に係る光ディスク再生装置の概要構成例を示すブロック図である。図２は、光ディスクに情報が記録された様子を模式的にあらわした図であり、図３は、光ディスクに記録された制御情報の構造を模式的にあらわした図である。
【００１２】
実施形態に係わる光ディスク再生装置Ｓの概要動作について図１を用いて説明する。図１に示すように、ピックアップ２から照射されたレーザビームＬＢが光ディスク１の情報記録面において反射され、反射されたレーザビームＬＢは光ディスク１の情報記録面における情報に応じて変化しており、その変化がピックアップ２において電気信号Ｓｉに変換される。変換された電気信号Ｓｉを基に、マイクロコンピュータ部８において光ディスクに記録されている楽曲や楽曲が記録されている時間情報などを解析する。その解析結果を基にピックアップ２を所望の位置に移動させるのである。
【００１３】
例えば、ユーザが光ディスク１に記録されている楽曲の中で、所望の楽曲の試聴を希望した場合は、入力部９を介して所望の音楽に関する情報を入力する。マイクロコンピュータ部８は入力部９を介して入力された情報に基づいて、ピックアップ２をユーザが試聴を所望する楽曲が記録されている位置に移動させる。
【００１４】
次に、実施形態に係わる光ディスク再生装置Ｓの詳細動作について図１を用いて説明する。
【００１５】
この光ディスク再生装置Ｓは、光ディスク１の情報記録面にレーザビームＬＢを照射し、光ディスク１において反射された当該レーザビーム１を電気信号Ｓｉに変換するピックアップ２と、入力された電気信号Ｓｉを増幅して増幅信号Ｓａを出力する増幅部５と、入力された増幅信号Ｓａを信号処理することによってデジタル楽曲信号Ｓｄａと楽曲管理情報やサーボ情報等の情報を含む信号Ｓｐｍを出力し、入力された制御信号Ｓｍｐを信号処理することによってドライバ信号ＳｄｐおよびＳｄｍを出力する信号処理部６と、入力されたデジタル楽曲信号Ｓｄａと制御信号Ｓｃｄに基づいてデジタル楽曲信号Ｓｄａをデジタルアナログ変換してアナログ楽曲信号Ｓｏを出力するデジタルアナログ変換部７（以下ＤＡＣ部と称する。）と、ユーザが試聴を所望する楽曲情報が入力され、入力された楽曲情報を操作信号Ｓｇｉとして出力する入力部９と、入力された操作信号Ｓｇｉおよび信号Ｓｐｍに基づいて演算を行い、ＤＡＣ部７を制御する制御信号Ｓｃｄおよびピックアップ２並びにモータ部３を制御する制御信号Ｓｍｐを出力するマイクロコンピュータ部８と、入力されたモータドライバ信号Ｓｄｍおよびピックアップドライバ信号Ｓｄｐを増幅してモータ制御信号Ｓｍおよびピックアップ制御信号Ｓｐを出力するドライバ部４と、入力されたモータ制御信号Ｓｍに基づいて光ディスク１を回転させるモータ部３とから構成される。
【００１６】
なお、ＤＡＣ部７から出力された出力信号Ｓｏは、図示しない電力増幅器等を介してスピーカまたはヘッドフォン等の拡声器によって、ユーザが試聴する。
【００１７】
次に各構成部について具体的に説明する。
【００１８】
電気信号Ｓｉには、光ディスク１に記録された楽曲情報が含まれている。
【００１９】
例えば、電気信号Ｓｉには、楽曲、楽曲の経過時間情報および楽曲が記録された光ディスク１内での絶対時間情報等の情報が含まれている。
【００２０】
増幅部５には、光ディスク１に記録された情報をあらわす電気信号Ｓｉが入力される。電気信号Ｓｉは微弱な信号であるが、増幅部５内において、増幅されることにより、後段の信号処理部６において取り扱いが容易な増幅信号Ｓａとして出力される。
【００２１】
信号処理部６には、増幅信号Ｓａおよび制御信号Ｓｍｐが入力される。信号処理部６は、増幅信号Ｓａに含まれる各種情報を演算処理し、デジタル楽曲信号Ｓｄａおよび楽曲管理情報やサーボ情報等の情報を含む処理信号Ｓｐｍを出力する。
【００２２】
例えば、信号処理部６は、符号化されて光ディスクに記録された情報をあらわす増幅信号Ｓａに対して復号化処理を行うことにより、デジタル楽曲信号Ｓｄａおよび楽曲管理情報やサーボ情報等の情報を含む信号Ｓｐｍを生成し、出力するのである。
【００２３】
また、信号処理部６は、入力された制御信号Ｓｍｐから、モータ部３をあらかじめ定められた回転数で回転させるためのモータドライバ信号Ｓｄｍおよびピックアップ２を移動させるための信号であるピックアップドライバ信号Ｓｄｐを生成しドライバ部４へ出力する。
【００２４】
ドライバ部４は、入力されたモータドライバ信号Ｓｄｍをモータ部３を駆動するために必要な電圧まで増幅してからモータ制御信号Ｓｍを出力する。また、ドライバ部４は、入力されたピックアップドライバ信号Ｓｄｐをピックアップ２を駆動させるために必要な電流まで増幅してからピックアップ制御信号Ｓｐを出力する。
【００２５】
モータ部３は、入力されたモータ制御信号Ｓｍに基づいて、光ディスク１を回転させる。
【００２６】
ＤＡＣ部７には、デジタル楽曲信号Ｓｄａおよび制御信号Ｓｃｄが入力される。ＤＡＣ部７はデジタル楽曲信号Ｓｄａをデジタル信号からアナログ信号に変換してアナログ楽曲信号Ｓｏを生成し、制御信号Ｓｃｄに基づいて、当該アナログ楽曲信号Ｓｏを出力する。
【００２７】
例えば、制御信号ＳｃｄはＤＡＣ部７から出力されるべきアナログ楽曲信号Ｓｏの出力を停止または開始制御を行う信号である。
【００２８】
入力部９には、ユーザが試聴を所望する楽曲の情報が入力される。例えば、光ディスク１で楽曲を管理しているトラック番号等の情報が入力される。トラック番号等の情報は、操作信号Ｓｇｉとして出力される。
【００２９】
マイクロコンピュータ部８には、処理信号Ｓｐｍおよび操作信号Ｓｇｉが入力される。
【００３０】
処理信号Ｓｐｍには、楽曲管理情報やサーボ情報等の情報が含まれている。楽曲管理情報には、楽曲の単位をあらわすトラック番号、一楽曲内の楽曲の経過時間をあらわす情報および光ディスク１内における当該楽曲の経過時間（以下、絶対時間と称する。）等の情報が含まれている。マイクロコンピュータ部８はトラック番号から光ディスク１に記録されている楽曲の数を認識し楽曲の数をマイクロコンピュータ部８内のメモリ部（図示せず。）に記録する。また、当該一楽曲内の楽曲の経過時間をあらわす情報から楽曲の記録開始時間を認識する。そして、マイクロコンピュータ部８は、当該記録開始時間に対応する当該絶対時間から当該楽曲の光ディスク１における記録開始位置を算出する。算出された記録開始位置は、トラック番号と関連付けされて当該メモリ部に記録される。
【００３１】
例えば、光ディスク１に３つの楽曲が記録されており、それらの楽曲に対応してトラック番号１乃至３が割り当てられて記録されている場合について説明する。
【００３２】
トラック番号１に対応する楽曲が記録されている領域にピックアップ２が存在する場合、マイクロコンピュータ部８に入力される処理信号Ｓｐｍには、楽曲管理情報としてトラック番号１、光ピックアップ２が位置する場所に対応するトラック番号１内の経過時間情報と光ディスク１内の絶対時間情報が含まれる。マイクロコンピュータ８は、処理信号Ｓｐｍに含まれる当該絶対時間情報から当該経過時間情報を減算することにより、トラック番号１の記録開始位置を絶対時間として取得することができる。絶対時間は、光ディスク１内の記録位置をあらわしているので、減算によって求められたトラック番号１の絶対時間は、光ディスク１内のトラック番号１の記録開始位置をあらわすことになる。
【００３３】
マイクロコンピュータ部８はメモリ部にトラック番号と各トラック番号の記録開始位置をあらわす絶対時間とを対応づけて、メモリ部に記録する。
【００３４】
また、マイクロコンピュータ部８は、入力された操作信号Ｓｇｉに基いてユーザが試聴を所望している光ディスク１内の楽曲をトラック番号として認識する。マイクロコンピュータ部８は、入力された操作信号Ｓｇｉからトラック番号を認識すると、メモリ部に記録されている当該トラック番号の記録開始位置をあらわす絶対時間を抽出する。そして、マイクロコンピュータ部８は、ピックアップ２を当該トラック番号の記録開始位置に移動させるために、制御信号Ｓｍｐを出力し、サーボ信号処理部６およびドライバ部４を介してピックアップ２を当該トラック番号の記録開始位置へ移動させ、トラック番号１に対応する楽曲の再生を開始する。
【００３５】
次に、図２を用いて光ディスク１に３つの楽曲が記録された様子をあらわす。
【００３６】
図２は、光ディスク１の構造を３つの楽曲が記録された面を正面から見た図である。
【００３７】
光ディスク１の内周側から同心円状にいくつかの領域が設けられている。最内周側には、光ディスク１を光ディスク再生装置Ｓ内で支持するための光ディスク再生装置Ｓの部材が接触する領域であるクランピング領域ＣＡが設けられている。
【００３８】
クランピング領域に接する外周側には、未記録領域ＮＷ１が設けられている。この領域は、前述したＴＯＣが記録されるために規格において設けられた領域であるが、実施形態においては、ＴＯＣが記録されていない。
【００３９】
未記録領域ＮＷ１に隣接する外周側に記録済み領域ＷＡが存在する。記録済み領域ＷＡには、前述したように３つの記録済みになっているトラック領域がある。内周側からトラック１領域Ｔｒ１、トラック２領域Ｔｒ２およびトラック３領域Ｔｒ３である。トラック１領域Ｔｒ１には、ある一曲の楽曲が記録されている。同様に、トラック２領域Ｔｒ２には、別のある一曲の楽曲が記録されている。また、トラック３領域Ｔｒ３には、その他のある一曲の楽曲が記録されている。トラック１領域Ｔｒ１とトラック２領域Ｔｒ２との境界は連続した記録済み領域となっている。またトラック２領域Ｔｒ２とトラック３領域Ｔｒ３との境界も連続した記録済み領域となっている。
【００４０】
記録済み領域ＷＡに隣接する外周側に未記録領域ＮＷ２が存在する。この領域には、更に追加して楽曲を記録することができる。
【００４１】
実施形態においては、便宜上、トラック１領域Ｔｒ１乃至トラック３領域Ｔｒ３には互いに異なる曲が記録されているが、同一の曲が記録されている場合にも本願は適用できる。
【００４２】
次に図３に光ディスク１のトラック１領域Ｔｒ１乃至トラック３領域Ｔｒ３から光ディスク再生装置Ｓがピックアップ２を介して読み出した電気信号Ｓｉが、増幅部５および信号処理部６を介して、処理信号Ｓｐｍに変換された場合に含まれる楽曲管理情報の構造を示している。
【００４３】
楽曲管理情報は、一般にサブコードのＱチャネルに記録されている。以下図３の説明においてサブＱチャネルと称する。
【００４４】
サブＱチャネルの構造は、一つのフレームから構成されており、図３（ａ）にフレーム構造を示す。一つのフレームはコントロール領域Ｆ１、アドレス領域Ｆ２、データ領域Ｆ３およびＣＲＣ（Cyclic Redundancy Check）領域Ｆ４から構成されている。
【００４５】
コントロール領域Ｆ１は、そのフレームに何が記録されているかを示す領域であり４ビットで構成されている。
【００４６】
アドレス領域Ｆ２は、次に示すデータ領域Ｆ３の内容を規定する領域であり４ビットで構成されている。
【００４７】
データ領域Ｆ３は、楽曲管理データが記録されている。詳細を図３（ｂ）に示す。データＤ１乃至データＤ９はそれぞれ８ビットであらわされ、データ領域Ｆ３には７２ビットの情報が記録されている。
【００４８】
データＤ１には、光ディスクに記録されている楽曲がトラック番号として記録されている。例えば、図２のトラック１領域Ｔｒ１内において、楽曲管理情報を光ディスク再生装置で読み出した場合には、常にデータＤ１にはトラック番号１が記録されている。
【００４９】
データＤ２には、インデックスという情報が記録されている。インデックスは一のトラック領域の内容を更に細分化した領域を示す番号が記録されている。本実施形態においては、使用されていない。
【００５０】
データＤ３にはトラック番号に対応する楽曲が、記録され始めてからの経過時間のうち“分”の情報が記録される。例えば、トラック番号１に対応する楽曲が光ディスクに記録され始めて４分を経過した後から５分が経過するまでは、データＤ３には４が記録される。
【００５１】
データＤ４にはトラック番号に対応する楽曲が、記録され始めてからの経過時間のうち“秒”情報が記録される。例えば、トラック番号１に対応する楽曲が光ディスクに記録され始めて０分４秒を経過した後から０分５秒が経過するまでは、データＤ４には４が記録される。また、トラック番号１に対応する楽曲が光ディスクに記録され始めて１分４秒を経過した後から１分５秒が経過するまでは、データＤ４には４が記録される。このように経過時間のうちの“秒”情報だけが記録される。
【００５２】
データＤ５にはトラック番号に対応する楽曲が、記録され始めてからの経過時間のうち“秒”を更に細分化した単位であるフレーム番号が記録される。７５フレームで１秒をあらわす。
【００５３】
データＤ６には、データＤ５の領域とデータＤ７の領域との間の区切り領域として０が記録される。
【００５４】
データＤ７には、データＤ１乃至データＤ５であらわされる楽曲の記録部分が、光ディスクの記録可能領域の最内周部分からどれだけ時間が経過している部分かを示す絶対時間のうち“分”の情報が記録される。
【００５５】
例えば、トラック番号２に対応する楽曲が光ディスクに記録され始めた位置が、光ディスクの記録可能領域の最内周部分から５分を経過した位置である場合には、データＤ３、データＤ４およびデータＤ５には、トラック番号２で表される楽曲の記録開始位置を示すデータ「０」が記録される。一方、データＤ７には、５分を経過したことを示す５が記録される。このようにデータＤ７乃至データＤ９には、光ディスクの記録可能領域の最内周部分からの経過時間が記録されるのである。
【００５６】
データＤ８には、データＤ１乃至データＤ５であらわされる楽曲の記録部分が、光ディスクの記録可能領域の最内周部分からどれだけ時間が経過している部分かを示す絶対時間のうち“秒”の情報が記録される。
【００５７】
データＤ９には、データＤ１乃至データＤ５であらわされる楽曲の記録部分が、光ディスクの記録可能領域の最内周部分からどれだけ時間が経過している部分かを示す絶対時間のうち“フレーム”の情報が記録される。
【００５８】
図３（ａ）のＣＲＣ領域Ｆ４には１６ビットのＣＲＣが記録されている。ＣＲＣ領域は、コントロール領域Ｆ１、アドレス領域Ｆ２およびデータ領域Ｆ３に記録されたデータが正しいデータか否かをチェックする情報が記録されている領域である。
【００５９】
（II）本願の実施形態
次に、図４および図５を用いて、本実施形態について説明する。本実施形態は、３つの楽曲が記録された光ディスク１において、３つの楽曲が記録された領域に対応する３つのトラック領域の記録開始位置を高速に探し出すものである。具体的には、楽曲情報とともに記録されている楽曲管理情報であるサブＱチャネルに記録されているトラック内経過時間と絶対時間とから、当該トラックの記録開始位置を演算している光ディスク再生装置を本願に適用した場合の実施形態である。
【００６０】
図４は実施形態におけるトラック開始位置検索方法をあらわす図であり、図５は実施形態の動作をあらわすフローチャートである。
【００６１】
図４は、光ディスク１とピックアップ２との半径方向の位置関係を示している。
【００６２】
光ディスク１は、図４の左側が光ディスク１の中心をあらわし、図４の右側が光ディスク１の外周側をあらわしている。内周側から未記録領域ＮＷ１、トラック１領域Ｔｒ１、トラック２領域Ｔｒ２、トラック３領域Ｔｒ３、未記録領域ＮＷ２の順番に領域が設けられている。この領域は、それぞれ図２の光ディスク１の各領域に対応するものである。
【００６３】
ピックアップ２は、最初に、光ディスク１に記録された楽曲情報のうち最後に記録された楽曲情報の最終記録位置を探す。本実施形態では、未記録領域ＮＷ２とトラック３領域Ｔｒ３との境界であるトラック３領域終了位置３ＥＡを検知する動作をおこなう。
【００６４】
例えば、未記録領域ＮＷ２にピックアップ２が位置している場合の、ピックアップ２から出力される電気信号Ｓｉの信号振幅の大きさと、トラック３領域Ｔｒ３にピックアップ２が位置している場合の、ピックアップ２から出力される電気信号Ｓｉの信号振幅の大きさとは異なる。この電気信号Ｓｉの信号振幅の違いは、増幅部５および信号処理部６を介して、マイクロコンピュータ部８に入力される信号Ｓｐｍによって、マイクロコンピュータ部８が認識するので、トラック３終了位置３ＥＡを検出することができる。
【００６５】
具体的には、光ディスク１がＣＤ−ＲまたはＣＤ−ＲＷである場合には、入射光と反射光の光強度の割合である反射率は、未記録領域ＮＷ２の反射率が記録済み領域であるトラック１領域Ｔｒ１、トラック２領域Ｔｒ２およびトラック３領域Ｔｒ３の反射率より高い。したがって、未記録領域ＮＷ２にピックアップ２が位置している場合には、ピックアップ２から出力される電気信号Ｓｉの信号振幅の大きさは大きくなる。一方、記録済み領域であるトラック３領域Ｔｒ３の反射率は未記録領域ＮＷ２の反射率よりも低いので、トラック３領域Ｔｒ３にピックアップ２が位置している場合には、ピックアップ２から出力される電気信号Ｓｉの信号振幅の大きさは、未記録領域ＮＷ２にピックアップ２が位置している場合に比較して小さくなる。その結果、マイクロコンピュータ部８がピックアップ２を光ディスク１に対して水平方向に移動させて、ピックアップ２がトラック３領域終了位置３ＥＡを横切る場合に、マイクロコンピュータ部８は電気信号Ｓｉの信号振幅の変化を検知できるので、その変化位置をマイクロコンピュータ部８はトラック３領域終了位置３ＥＡとして判別することができる。
【００６６】
マイクロコンピュータ部８は、ピックアップ２をトラック３領域終了位置３ＥＡから所定の移動量に基づいてトラック３領域側に移動させる。ここで所定の移動量とは、入力部９から入力されることも可能な、変更可能な設定値である。例えば、ピックアップ２が移動する場合に、トラックを飛び越えてしまわない程度の小さな値である。
【００６７】
その後、マイクロコンピュータ部８は、図３にあらわされたサブＱチャネルフレームをピックアップ２を介して読み込む。この場合、サブＱチャネルフレームから得られる情報には、前述したように、トラック番号３、ピックアップ２が位置している場所におけるトラック３領域Ｔｒ３の記録開始位置からの経過時間、および、光ディスク１の記録可能領域の先頭からの経過時間である絶対時間が含まれる。
【００６８】
マイクロコンピュータ部８は、トラック３領域開始時間位置３ＳＡを認識するために、絶対時間からトラック３領域Ｔｒ３内の経過時間を減算する。そうすると、トラック３領域Ｔｒ３内の記録開始位置が絶対時間としてあらわされる。すなわち、トラック３領域の開始時間位置３ＳＡが絶対時間として取得される。
【００６９】
したがって、マイクロコンピュータ部８は、トラック３領域Ｔｒ３内の何れかの場所にピックアップ２が位置していれば、この位置におけるサブＱチャネルフレームをピックアップ２を介して読み込むことによって、トラック３領域の開始時間位置３ＳＡを認識することができる。
【００７０】
同様に、マイクロコンピュータ部８は、ピックアップ２をトラック２領域Ｔｒ２に移動させて、図３にあらわされたサブＱチャネルフレームをピックアップ２を介して読み込む。この場合、サブＱチャネルフレームから得られる情報には、前述したように、トラック番号２、ピックアップ２が位置している場所におけるトラック２領域Ｔｒ２の記録開始位置からの経過時間、および、光ディスク１の記録可能領域の先頭からの経過時間である絶対時間が含まれる。
【００７１】
マイクロコンピュータ部８は、トラック２領域開始時間位置２ＳＡを認識するために、絶対時間からトラック２領域Ｔｒ２内の経過時間を減算する。そうすると、トラック２領域Ｔｒ２内の記録開始位置が絶対時間としてあらわされる。すなわち、トラック２領域の開始時間位置２ＳＡが絶対時間として取得される。
【００７２】
したがって、マイクロコンピュータ部８は、トラック２領域Ｔｒ２内の何れかの場所にピックアップ２が位置していれば、この位置におけるサブＱチャネルフレームをピックアップ２を介して読み込むことによって、トラック２領域の開始時間位置２ＳＡを認識することができる。
【００７３】
また同様に、マイクロコンピュータ部８は、ピックアップ２をトラック１領域Ｔｒ１に位置させて、図３にあらわされたサブＱチャネルフレームをピックアップ２を介して読み込む。この場合、サブＱチャネルフレームから得られる情報には、前述したように、トラック番号１、ピックアップ２が位置している場所におけるトラック１領域Ｔｒ１の記録開始位置からの経過時間、および、光ディスク１の記録可能領域の先頭からの経過時間である絶対時間が含まれる。
【００７４】
マイクロコンピュータ部８は、トラック１領域開始時間位置１ＳＡを認識するために、絶対時間からトラック１領域Ｔｒ１内の経過時間を減算する。そうすると、トラック１領域Ｔｒ１内の記録開始位置が絶対時間としてあらわされる。すなわち、トラック１領域の開始時間位置１ＳＡが絶対時間として取得される。
【００７５】
したがって、マイクロコンピュータ部８は、トラック１領域Ｔｒ１内の何れかの場所にピックアップ２が位置していれば、この位置におけるサブＱチャネルフレームをピックアップ２を介して読み込むことによって、トラック１領域の開始時間位置１ＳＡを認識することができる。
【００７６】
図５は実施形態の動作をあらわすフローチャートである。
【００７７】
ステップＳ１において、光ディスク１に記録されているデータの最後部位置であるトラック３領域Ｔｒ３のトラック３領域終了位置３ＥＡを、マイクロコンピュータ部８が認識する。ピックアップ２は図４において、位置ＰＳＡから位置Ｐ３ＥＡへ移動する。その後、ステップＳ２へ進む。
【００７８】
ステップＳ２において、マイクロコンピュータ部８は、検出したトラック３領域終了位置３ＥＡに隣接する内周側のトラック３領域Ｔｒ３内へ、ピックアップ２を移動させる。すなわち、ピックアップ２は図４において、Ｐ３ＥＡからＰ３へ移動する。その後、ステップＳ３へ進む。
【００７９】
ステップＳ３において、マイクロコンピュータ部８は、ピックアップ２が位置しているトラック３領域Ｔｒ３内のサブＱチャネルフレームを、ピックアップ２を介して取得する。そして、マイクロコンピュータ部８は、サブＱチャネルフレームから、トラック番号、ピックアップ２が位置する場所のトラック内の経過時間、および、ピックアップ２が位置する場所の光ディスク１の記録可能領域の記録開始位置からの経過時間である絶対時間を取得する。
【００８０】
ステップＳ４において、マイクロコンピュータ部８は、サブＱチャネルフレームから取得した、ピックアップ２が位置する場所の光ディスク１の記録可能領域の記録開始位置からの経過時間である絶対時間、から、ピックアップ２が位置する場所のトラック内の経過時間、を減算し、トラック３領域開始時間位置３ＳＡの絶対時間を取得する。そして、マイクロコンピュータ部８は、マイクロコンピュータ部８内のメモリ部にトラック番号であるトラック３とトラック３領域開始時間位置３ＳＡを絶対時間であらわした情報とを関連づけて記録する。記録後に、ステップＳ５に進む。
【００８１】
ステップＳ５において、マイクロコンピュータ部８は、読み出したサブＱチャネルフレームが、光ディスク１に記録された最初の楽曲を示すトラック番号１であるか否かを判断する。
【００８２】
トラック番号が１である場合（ステップＳ５：ＹＥＳ）には、光ディスク１に記録されている全てのトラック番号の記録開始位置情報が取得されたので、処理を終了する。トラック番号が１でない場合（ステップＳ５：ＮＯ）には、ステップＳ６に進む。
【００８３】
ステップＳ６において、マイクロコンピュータ部８は、ステップＳ４でサブＱチャネルフレームから求めたトラックの記録開始時間位置まで、ステップ４で求めたそのトラックの記録開始時間位置の絶対時間を基にしてピックアップ２を移動させる。すなわち、ピックアップ２は図４において、位置Ｐ３から位置Ｐ３ＳＡへ移動する。ステップＳ７において、マイクロコンピュータ部８は、ピックアップ２を更に内周側へ所定の移動量だけ移動させる。トラック開始位置に隣接する内周側が、連続して記録されたトラックにおける直前のトラック領域に相当するからである。すなわち、ピックアップ２は図４において、位置Ｐ３ＳＡから位置Ｐ２へ移動する。ピックアップ２が移動された後に、ステップＳ８に進む。
【００８４】
また、マイクロコンピュータ部８は、ステップＳ６においてトラック３領域開始時間位置３ＳＡを取得しているので、トラック３領域開始時間位置３ＳＡと所定の移動量から、ピックアップ２を図４において、位置Ｐ３から位置Ｐ２へ直接移動させることもできる。
【００８５】
ステップＳ８において、マイクロコンピュータ部８は、ピックアップ２を介してサブＱチャネルフレームの情報のうちトラック番号を取得する。トラック番号の取得後に、ステップＳ９に進む。
【００８６】
ステップＳ９において、ステップＳ８において新しいトラック番号が取得された場合（ステップＳ９：ＹＥＳ）には、ステップＳ４に進む。ステップＳ８において新しいトラック番号が取得されなかった場合（ステップＳ９：ＮＯ）には、ステップＳ７に進む。
【００８７】
さらに、本実施形態では、トラック２領域開始時間位置２ＳＡを取得するために、ステップ４からステップ９を実行する。すなわち、ピックアップ２は図４において、位置Ｐ２から位置Ｐ２ＳＡを介して位置Ｐ１へ移動する。さらに、トラック１領域開始時間位置１ＳＡを取得するためにステップＳ４を実行した後、ステップＳ５を実行して処理を終了する。
【００８８】
なお、本実施形態においては、ピックアップ２は図４の位置Ｐ３、位置Ｐ２および位置Ｐ１においてサブＱチャネルフレームを取得することから、ピックアップ２は、位置Ｐ３、位置Ｐ２および位置Ｐ１から外周側に少し移動しながら、各トラック領域におけるサブＱチャネルフレームの情報を読み出すことになる。
【００８９】
また、ユーザが入力部９のボタン（図示せず）を操作してトラック番号を入力すると、マイクロコンピュータ部８は、内部のメモリ部を参照することによって入力されたトラック番号に対応する記録開始位置を取得して、ピックアップ２をそのトラック番号の記録開始位置へ移動させる。
【００９０】
その後、マイクロコンピュータ部８は、トラック番号に記録されている楽曲の再生を開始する。
【００９１】
このように、光ディスク１に記録されている楽曲とその記録位置についての情報がＴＯＣとして光ディスク１に記録されていない場合においても、本実施形態の光ディスク再生装置Ｓは、光ディスク１に記録されている全てのトラックに対応する記録開始位置を素早く読取ることができる。
【００９２】
なお、本実施形態においては、最初に記録されたトラック番号を１としているが、これに限られるわけではなく、最初に記録されるトラック番号は任意の値を設定することができる。
【００９３】
さらに、本実施形態においては、最後に記録されたトラックを光ディスク１の最外周としているが、これに限られるわけではない。例えば、光ディスク１の最外周から楽曲等の情報を記録し、順次内周側に情報を記録していく場合においても本実施形態を適用させることができる。
【００９４】
また、図５のフローチャートに対応するプログラムを、フレキシブルディスクに予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【００９５】
以上述べてきたように、本実施形態に記載の光ディスク再生装置Ｓは、曲等の単位情報を読取る光ピックアップ２と、前記読取手段を移動させ、記録済領域における未記録領域側の終端位置を検出し、検出された終端位置に基づいて記録済領域における終端の単位情報の記録開始位置情報を取得した後、隣接して記録された２つの単位情報における外周側の単位情報の記録開始位置情報に基づいた内周側の単位情報の記録開始位置情報の取得を、前記終端の単位情報の内周側に隣接して記録された単位情報から順次行うように制御するマイクロコンピュータ部８とを備える。このようにして、光ディスクに記録された音楽情報の単位である曲をあらわすトラック番号とそのトラック番号に対応する曲の光ディスク上の記録位置を取得することができる。
【００９６】
この構成によれば、光ディスクにおいて、ＴＯＣ等の光ディスクに記録された記録情報を管理する管理情報が一つの領域にまとめられて記録されていない場合においても、トラック番号であらわされる一曲を単位とした記録された音楽情報の記録開始位置を素早く検出することができる。また、複数の曲が記録されている場合においても、その曲のトラック番号と記録開始位置をつぎつぎに素早く検出することができる。
【００９７】
また、本実施形態に記載の光ディスク再生装置Ｓは、記録済み領域の終端位置から内周側に所定量移動した位置において、サブコード等の管理情報を抽出した後に、その管理情報からトラック記録開始位置情報を取得するマイクロコンピュータ部８を備える。このようにして、曲が記録されている記録済み領域の終端側の曲の記録開始位置を演算して求めることができる。
【００９８】
この構成によれば、光ディスクにおいて、ＴＯＣ等の光ディスクに記録された記録情報を管理する管理情報が一つの領域にまとめられて記録されていない場合においても、最後のトラック番号であらわされる一曲を単位とした記録された音楽情報の記録開始位置を素早く演算して求めることができる。
【００９９】
さらに、本実施形態に記載の光ディスク再生装置Ｓは、外周側に位置する曲等の単位情報についてのサブコード等の情報から取得した記録開始位置から内周側に所定量を移動した位置で内周側の曲等の単位情報を読取らせることによりサブコード等の情報を抽出し、曲等の単位情報の記録開始位置情報を取得するマイクロコンピュータ部８を備える。
【０１００】
この構成によれば、次のトラックの記録領域を演算して、演算されたトラックの記録領域へ素早くピックアップを移動して、そのトラックの記録開始位置を識別することができるようになる。このようにして、複数の曲が記録されている場合においても、その曲のトラック番号と記録開始位置をつぎつぎに素早く検出することができる。
【０１０１】
また、本実施形態に記載の光ディスク再生装置Ｓは、サブコード等の管理情報に含まれる記録済領域の絶対時間から曲等の単位情報の経過時間を減算することにより記録開始位置情報を取得するマイクロコンピュータ部８を備える。
【０１０２】
この構成によれば、光ディスク再生装置Ｓは、光ディスクに記録されている情報の始端位置または終端位置を素早く取得することができる。
【０１０３】
さらに、本実施形態に記載の光ディスク再生装置Ｓは、記録済領域における始端の単位情報であるか否かを判別するマイクロコンピュータ部８をさらに備え、マイクロコンピュータ部８は、記録済み領域の始端の単位情報であることが判別されたときは、記録済み領域の始端にある単位情報の記録開始位置情報を取得した後、記録開始位置情報の取得を終了する構成になっている。
【０１０４】
この構成によれば、記録済み領域の始端を確実に判別した後に記録開始位置情報の取得を終了することができる。
【０１０５】
さらに、本実施形態に記載の光ディスク再生装置Ｓは、トラック番号等の管理情報を抽出するマイクロコンピュータ部８と、トラック番号等の情報単位の管理情報と、そのトラック番号に対応する音楽情報等の記録開始位置等の記録開始位置情報とを関連づけるマイクロコンピュータ部８とを備える。
【０１０６】
この構成によれば、トラック番号とそのトラック番号の音楽情報等の記録開始位置情報が関連づけされているので、トラック番号の記録開始位置を素早く認識することが可能となる。
【０１０７】
さらに、本実施形態に記載の光ディスク再生装置Ｓは、ユーザが光ディスク１に記録されている曲のうち、ユーザが聞きたいと望んでいる曲のトラック番号を選択することができる入力部９と、入力部９によって入力されたトラック番号に対応する曲が記録されている光ディスク上の記録開始位置を選択するマイクロコンピュータ部８と、光ディスク上の記録開始位置情報にピックアップ２を移動するマイクロコンピュータ部８と、を備える構成を有している。
【０１０８】
この構成によれば、光ディスク１において、ＴＯＣ等の光ディスクに記録された記録情報を管理する管理情報が一つの領域にまとめられて記録されていない場合においても、光ディスク１が光ディスク再生装置Ｓに挿入されれば、光ディスク再生装置Ｓは、自動的に光ディスクに記録されている曲のトラック番号とそのトラックの記録開始位置を取得する。そして、ユーザが入力部９のボタンを押した場合には、光ディスク再生装置Ｓはあらかじめトラック番号に対応した記録開始位置情報を取得しているので、素早くピックアップ２を移動させ、ユーザが入力部９のボタンによって指定したトラック番号に記録された曲を素早く再生することができる。
【図面の簡単な説明】
【０１０９】
【図１】実施形態に係る光ディスク再生装置の概要構成例を示すブロック図である。
【図２】光ディスクに情報が記録された様子を模式的にあらわした図である。
【図３】光ディスクに記録された制御情報の構造を模式的にあらわした図である。
【図４】実施形態におけるトラック開始位置検索方法をあらわす図である。
【図５】実施形態の動作をあらわすフローチャートである。
【符号の説明】
【０１１０】
１  …  光ディスク
２  …  ピックアップ
３  …  モータ部
４  …  ドライバ部
５  …  増幅部
６  …  信号処理部
７  …  デジタルアナログ変換部
８  …  マイクロコンピュータ部
ＬＢ  …  レーザビーム
【図１】
2008027469.tif 000003
【図２】
2008027469.tif 000004
【図３】
2008027469.tif 000005
【図４】
2008027469.tif 000006
【図５】
2008027469.tif 000007